Podtech/llm-jp-corpus-v4-ja_patent huggingface dataset:
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】
座標入力領域上の指示位置を算出する座標入力装置であって、
前記座標入力領域の角部に設けられた受光手段と、
前記座標入力領域の周辺部に設けられ、入射光を再帰的に反射する反射手段と、
前記座標入力領域に光を照明する発光手段と、
前記受光手段から得られる光量分布において、予め定められたレベルを横切る点に対応する角度情報を算出する角度算出手段と、
前記角度算出手段で算出される複数の角度情報それぞれが示す角度の内、最小角度と最大角度間の中心となる中心角度に基づいて、指示位置の座標を算出する算出手段と
を備えることを特徴とする座標入力装置。
【請求項２】
前記受光手段は、複数の受光手段から構成され、
前記角度算出手段は、前記複数の受光手段それぞれが出力する光量分布毎に、予め定められたレベルを横切る点に対応する角度情報を算出し、
前記算出手段は、前記複数の受光手段それぞれが出力する光量分布毎に前記角度算出手段で算出される複数の角度情報それぞれが示す角度の内、最小角度と最大角度間の中心となる中心角度に基づいて、指示位置の座標を算出する
ことを特徴とする請求項１に記載の座標入力装置。
【請求項３】
前記光量分布は、初期状態で前記受光手段から得られる光量分布と座標入力サンプリング状態で前記受光手段から得られる光量分布との変化の比で示される光量分布である
ことを特徴とする請求項１に記載の座標入力装置。
【請求項４】
前記角度算出手段は、前記受光手段から得られる光量分布において、前記予め定められたレベルを横切る点として、該予め定められたレベルから立ち上がる立ち上がり点と該予め定められたレベルへ立ち下がる立ち下がり点を検出する検出手段と、
前記検出手段による検出結果に基づいて、スイッチ情報を出力する出力手段と
を備えることを特徴とする請求項１に記載の座標入力装置。
【請求項５】
前記受光手段は、それぞれに素子番号が付与されている複数の受光素子から構成されるセンサであり、
前記角度算出手段は、前記受光手段から得られる光量分布において、前記予め定められたレベルを横切る点として、該予め定められたレベルから立ち上がる立ち上がり点と該予め定められたレベルへ立ち下がる立ち下がり点を検出する検出手段と、
前記検出手段で検出した立ち上がり点と立ち下がり点それぞれに対応する素子番号を取得する取得手段とを備え、
前記取得手段で取得した素子番号に対応する角度情報を算出する
ことを特徴とする請求項１に記載の座標入力装置。
【請求項６】
前記受光手段は、それぞれに素子番号が付与されている複数の受光素子から構成されるセンサであり、
前記角度算出手段は、前記受光手段から得られる光量分布において、前記予め定められたレベルを横切る点として、該予め定められたレベルから立ち上がる立ち上がり点と該予め定められたレベルへ立ち下がる立ち下がり点を検出する検出手段と、
前記検出手段で検出した立ち上がり点と立ち下がり点それぞれに対応する素子番号を取得する取得手段と、
前記取得手段で取得した素子番号と該素子番号の受光素子に隣接する隣接受光素子の素子番号から、仮想的な仮想素子番号を算出する算出手段とを備え、
前記算出手段で算出した仮想素子番号に対応する角度情報を算出する
ことを特徴とする請求項１に記載の座標入力装置。
【請求項７】
座標入力領域の角部に設けられた受光部と、該座標入力領域の周辺部に設けられ、入射光を再帰的に反射する反射部と、該座標入力領域に光を照明する発光部を有し、該座標入力領域上の指示位置を算出する座標入力装置の制御方法であって、
前記受光部から得られる光量分布において、予め定められたレベルを横切る点に対応する角度情報を算出する角度算出工程と、
前記角度算出工程で算出される複数の角度情報それぞれが示す角度の内、最小角度と最大角度間の中心となる中心角度に基づいて、指示位置の座標を算出する算出工程と
を備えることを特徴とする座標入力装置の制御方法。
【請求項８】
座標入力領域の角部に設けられた受光部と、該座標入力領域の周辺部に設けられ、入射光を再帰的に反射する反射部と、該座標入力領域に光を照明する発光部を有し、該座標入力領域上の指示位置を算出する座標入力装置の制御をコンピュータに実行させるためのプログラムであって、
前記受光部から得られる光量分布において、予め定められたレベルを横切る点に対応する角度情報を算出する角度算出工程と、
前記角度算出工程で算出される複数の角度情報それぞれが示す角度の内、最小角度と最大角度間の中心となる中心角度に基づいて、指示位置の座標を算出する算出工程と
をコンピュータに実行させることを特徴とするプログラム。
【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】 被写体に光を照射する照射手段と、
前記照射手段を制御して露光量を変更する露光制御手段と、
前記露光制御手段により変更された露光量の撮像条件下において、前記照射手段から被写体に向けて照射した光を介して得られた光を受光し、該受光した光に応じて画像信号を発生する撮像素子と、
前記受光した光に応じて発生した画像信号の出力領域を算出する画像処理手段であって、前記変更された露光量の撮像条件下において、撮像されることによって得られた複数の画像信号に対応して、複数の画像信号出力領域を算出し、該算出した複数の画像信号出力領域を比較し、その変化量を算出する画像処理手段と、
前記画像処理手段によって算出された変化量を予め設定した値と比較し、その比較結果により、被写体を識別する判定手段と、
を有することを特徴とする認証装置。
【請求項２】 前記露光制御手段は、異なるフレーム毎に露光量を変更するよう前記照射手段を制御することを特徴とする請求項１に記載の認証装置。
【請求項３】 前記露光制御手段は、同一フレーム内で露光量を変更するよう前記照射手段を制御することを特徴とする請求項１に記載の認証装置。
【請求項４】 請求項１乃至３のいずれかに記載の認証装置と、
あらかじめ登録されている生体画像が記憶された記憶手段と、
前記認証装置により前記被写体が生体であると識別された場合に、前記記憶手段に記憶された生体画像と前記撮像素子で検出した前記被写体画像とを照合する照合手段と、を有することを特徴とする認証装置。
【手続補正２】
【補正対象書類名】明細書
【補正対象項目名】０００７
【補正方法】変更
【補正の内容】
【０００７】
【課題を解決するための手段】
上記課題を解決するための一手段として、被写体に光を照射する照射手段と、
前記照射手段を制御して露光量を変更する露光制御手段と、
前記露光制御手段により変更された露光量の撮像条件下において、前記照射手段から被写体に向けて照射した光を介して得られた光を受光し、該受光した光に応じて画像信号を発生する撮像素子と、
前記受光した光に応じて発生した画像信号の出力領域を算出する画像処理手段であって、前記変更された露光量の撮像条件下において、撮像されることによって得られた複数の画像信号に対応して、複数の画像信号出力領域を算出し、該算出した複数の画像信号出力領域を比較し、その変化量を算出する画像処理手段と、
前記画像処理手段によって算出された変化量を予め設定した値と比較し、その比較結果により、被写体を識別する判定手段と、
を有することを特徴とする認証装置を提供する。
【手続補正３】
【補正対象書類名】明細書
【補正対象項目名】００１７
【補正方法】変更
【補正の内容】
【００１７】
図４に、生体指紋認証装置１０を用いて、ある露光条件１にて生体指を撮像した場合の指紋画像１と、上部に指紋画像１のある行の短手方向の画像信号出力変化を表すグラフと、左側に指紋画像１のある列長手方向の画像信号出力変化を表すグラフと、下部に指紋画像１の実質の指紋画像が撮像されている領域を表す図が、合わせて示されている。
また、実質の指紋画像が撮像されている領域を、画像信号の出力領域とする。
図４を見ると、指内拡散光を利用する指紋入力法の場合、光の浸入距離の長い指中心は光の減衰が大きく画像が暗くなり、照明用ＬＥＤに近く光の浸入距離の短い指周辺部は明く撮像されることが判る。尚、この内部拡散光の減衰の違いによる露光ムラを、以後、指シェーディングと呼ぶこととする。広範囲の指紋画像を撮像した場合には図４に示した指紋画像１のように指中心部の露光が不足するが、指紋中心部の露光を適切にした場合には図５に示した指紋画像２のように照明用ＬＥＤに近い指紋周辺部が飽和する指紋画像が撮像される。
【手続補正４】
【補正対象書類名】図面
【補正対象項目名】図４
【補正方法】変更
【補正の内容】
【図４】
2004280383.tif 000001
【手続補正５】
【補正対象書類名】図面
【補正対象項目名】図５
【補正方法】変更
【補正の内容】
【図５】
2004280383.tif 000002
【手続補正６】
【補正対象書類名】図面
【補正対象項目名】図６
【補正方法】変更
【補正の内容】
【図６】
2004280383.tif 000003
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
感光材料を搬送する搬送手段と、前記搬送手段により搬送される感光材料に処理液を塗布するためのスロットダイと、処理液貯留タンクと、該処理液貯留タンクの処理液を前記スロットダイに供給するための処理液供給手段と、前記スロットダイの先端部に対向し離間する位置に配置された感光材料支持ロールと、感光材料の検出手段と、前記感光材料支持ロールを少なくとも感光材料の搬送方向とは逆方向に回転させるための駆動手段と、を備えたことを特徴とする感光材料処理装置。
【手続補正書】
【提出日】平成18年2月15日(2006.2.15)
【手続補正１】
【補正対象書類名】明細書
【補正対象項目名】００２４
【補正方法】変更
【補正の内容】
【００２４】
図１２はケーブルの配線図である。ケーブル４８Ａはキーパッド３２と表示装置３０とを接続する。ケーブル４８Ｂはキーパッド３２と走査ユニット２０とを接続する。ケーブル４８Ｃはキーパッド３２と顧客表示器３４とを接続する。ケーブル４８Ｄはキーパッド３２とＰＯＳシステムの制御部６４とを接続する。ケーブル４８Ａは図６のコネクタ６２Ａに接続され、ケーブル４８Ｂはコネクタ６２Ｂに接続され、ケーブル４８Ｃはコネクタ６２Ｃに接続され、ケーブル４８Ｄはコネクタ６２Ｄに接続される。図１２の領域Ａはケーブルホルダ５０の位置する領域である。
【手続補正２】
【補正対象書類名】図面
【補正対象項目名】図４
【補正方法】変更
【補正の内容】
【図４】
2004280456.tif 000001
【手続補正３】
【補正対象書類名】図面
【補正対象項目名】図５
【補正方法】変更
【補正の内容】
【図５】
2004280456.tif 000002
【手続補正４】
【補正対象書類名】図面
【補正対象項目名】図６
【補正方法】変更
【補正の内容】
【図６】
2004280456.tif 000003
【手続補正５】
【補正対象書類名】図面
【補正対象項目名】図７
【補正方法】変更
【補正の内容】
【図７】
2004280456.tif 000004
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  発電要素と、内部に発電要素及び電解液を収納する電池ケースと、絶縁性及び液透過性をもつ防泡体とを備えた電池において、前記防泡体は固着手段を用いて発電要素に固着されていることを特徴とする電池。
【請求項２】  防泡体が、発電要素の集電リードが引き出された面とは反対側の面に固着されていることを特徴とする、請求項１記載の電池。
【手続補正２】
【補正対象書類名】明細書
【補正対象項目名】０００９
【補正方法】変更
【補正の内容】
【０００９】
【課題を解決するための手段】
本発明は、発電要素と、内部に発電要素及び電解液を収納する電池ケースと、絶縁性及び液透過性をもつ防泡体とを備えた電池において、前記防泡体は固着手段を用いて発電要素に固着されていることを特徴とする。また、防泡体が、発電要素の集電リードが引き出された面とは反対側の面に固着されていることを特徴とする。さらに、防泡体がポリオレフィンからなるネット、不織布又はフェルト発泡体であることが好ましい。
【手続補正３】
【補正対象書類名】明細書
【補正対象項目名】００１０
【補正方法】変更
【補正の内容】
【００１０】
また本発明は、電池ケースが袋状でかつ気密構造を有し、長円形巻回型発電要素がその巻回中心軸が袋状単電池ケースの開口面に垂直方向であるように収納されていることが好ましい。さらに、袋状単電池ケースの材質が金属ラミネート樹脂フィルムであることが好ましい。
【手続補正４】
【補正対象書類名】明細書
【補正対象項目名】００１１
【補正方法】変更
【補正の内容】
【００１１】
さらに本発明は、防泡体を介して電解液を注入することが好ましい。
【手続補正５】
【補正対象書類名】明細書
【補正対象項目名】００２５
【補正方法】変更
【補正の内容】
【００２５】
また、有機溶媒に溶解するリチウム塩としては、ＬｉＰＦ６、ＬｉＣｌＯ４、ＬｉＢＦ４、ＬｉＡｓＦ６、ＬｉＣＦ３ＣＯ２、ＬｉＣＦ３ＳＯ３、ＬｉＮ（ＳＯ２ＣＦ３）２、ＬｉＮ（ＳＯ２ＣＦ２ＣＦ３）２、ＬｉＮ（ＣＯＣＦ３）２およびＬｉＮ（ＣＯＣＦ２ＣＦ３）２などの塩もしくはこれらの混合物でもよい。
【手続補正６】
【補正対象書類名】明細書
【補正対象項目名】００２７
【補正方法】変更
【補正の内容】
【００２７】
さらに、正極材料たるリチウムを吸蔵放出可能な化合物としては、無機化合物としては、組成式ＬｉｘＭＯ２、またはＬｉｙＭ２Ｏ４（ただしＭは遷移金属、０≦ｘ≦１、０≦ｙ≦２）で表される、複合酸化物、トンネル状の空孔を有する酸化物、層状構造の金属カルコゲン化物を用いることができる。その具体例としては、ＬｉＣｏＯ２、ＬｉＮｉＯ２、ＬｉＭｎ２Ｏ４、Ｌｉ２Ｍｎ２Ｏ４、ＭｎＯ２、ＦｅＯ２、Ｖ２Ｏ５、Ｖ６Ｏ１３、ＴｉＯ２、ＴｉＳ２等が挙げられる。また、有機化合物としては、例えばポリアニリン等の導電性ポリマー等が挙げられる。さらに、無機化合物、有機化合物を問わず、上記各種活物質を混合して用いてもよい。
【手続補正７】
【補正対象書類名】明細書
【補正対象項目名】００２８
【補正方法】変更
【補正の内容】
【００２８】
さらに、負極材料たる化合物としては、Ａｌ、Ｓｉ、Ｐｂ、Ｓｎ、Ｚｎ、Ｃｄ等とリチウムとの合金、ＬｉＦｅ２Ｏ３、ＷＯ２、ＭｏＯ２等の遷移金属酸化物、グラファイト、カーボン等の炭素質材料、Ｌｉ５（Ｌｉ３Ｎ）等の窒化リチウム、もしくは金属リチウム箔、又はこれらの混合物を用いてもよい。
【手続補正書】
【提出日】平成18年2月2日(2006.2.2)
【手続補正１】
【補正対象書類名】明細書
【補正対象項目名】発明の名称
【補正方法】変更
【補正の内容】
【発明の名称】情報再生装置及び情報再生装置の再生方法
【手続補正２】
【補正対象書類名】明細書
【補正対象項目名】特許請求の範囲
【補正方法】変更
【補正の内容】
【特許請求の範囲】
【請求項１】  制御手段と、
該制御手段の制御に基づいて、記録媒体に記録されている複数の情報信号を再生する再生手段と、
上記複数の情報信号の全識別子を記憶する第１の記憶手段と、
上記複数の情報信号の内、上記再生手段によって再生が行われた情報信号の識別子を記憶する第２の記憶手段と、
該第２の記憶手段に記憶されている上記再生手段によって再生が行われた情報信号の識別子に基づいて、上記制御手段によって生成された、情報信号の再生順序を、情報信号の再生停止時に記憶する第３の記憶手段とを有し、
上記情報信号の再生停止後の再生開始時に、上記第３の記憶手段に記憶されている上記情報信号の再生順序に従って、該情報信号を上記再生手段によって上記記録媒体から再生し得るようにした
ことを特徴とする情報再生装置。
【請求項２】  制御手段と、
該制御手段の制御に基づいて、記録媒体に記録されている複数の情報信号を再生する再生手段と、
上記複数の情報信号の全識別子を記憶する第１の記憶手段と、上記複数の情報信号の内、上記再生手段によって再生が行われた情報信号の識別子を記憶する第２の記憶手段と、
上記第１の記憶手段に記憶されている上記複数の情報信号の全識別子及び上記第２の記憶手段に記憶されている上記再生手段によって再生が行われた情報信号の識別子に基づいて、上記制御手段によって生成された、情報信号の再生順序を、情報信号の再生停止時に記憶する第３の記憶手段とを有し、
上記情報信号の再生停止後の再生開始時に、上記第３の記憶手段に記憶されている上記情報信号の再生順序に従って、該情報信号を上記再生手段によって上記記録媒体から再生し得るようにした
ことを特徴とする情報再生装置。
【請求項３】  請求項１に記載の情報再生装置において、
上記第３の記憶手段には、上記複数の情報信号の識別子をポインタとして有する情報再生順序番号のリストが記憶されていることを特徴とする情報再生装置。
【請求項４】  請求項１に記載の情報再生装置において、
上記第１及び第３の記憶手段は、共通の不揮発性記憶手段であることを特徴とする情報再生装置。
【請求項５】  請求項１に記載の情報再生装置において、
上記第１及び第３の記憶手段は、上記記録媒体であることを特徴とする情報再生装置。
【請求項６】  請求項２に記載の情報再生装置において、
上記第３の記憶手段には、上記複数の情報信号の識別子をポインタとして有する情報再生順序番号のリストが記憶されていることを特徴とする情報再生装置。
【請求項７】  請求項２に記載の情報再生装置において、
上記第１及び第３の記憶手段は、共通の不揮発性記憶手段であることを特徴とする情報再生装置。
【請求項８】  請求項２に記載の情報再生装置において、
上記第１及び第３の記憶手段は、上記記録媒体であることを特徴とする情報再生装置。
【請求項９】  制御ステップと、
該制御ステップの制御に基づいて、記録媒体に記録されている複数の情報信号を再生する再生ステップと、
上記複数の情報信号の全識別子を記憶する第１の記憶ステップと、
上記複数の情報信号の内、上記再生手段によって再生が行われた情報信号の識別子を記憶する第２の記憶ステップと、
該第２の記憶ステップに記憶されている上記再生ステップによって再生が行われた情報信号の識別子に基づいて、上記制御ステップによって生成された、情報信号の再生順序を、情報信号の再生停止時に記憶する第３の記憶ステップとを有し、
上記情報信号の再生停止後の再生開始時に、上記第３の記憶ステップに記憶されている上記情報信号の再生順序に従って、該情報信号を上記再生ステップによって上記記録媒体から再生し得るようにした
ことを特徴とする情報再生装置の再生方法。
【手続補正３】
【補正対象書類名】明細書
【補正対象項目名】０００１
【補正方法】変更
【補正の内容】
【０００１】
【発明の属する技術分野】
本発明は情報再生装置及び情報再生装置の再生方法に関する。
【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】
ネットワークに接続されたショップ側のコンピュータに管理される記録装置により構成され、ユーザーがネットワークを介して注文できる商品の触感に関するデータを記録しておくための商品触感データ記録手段と、
ネットワークに接続されたショップ側のコンピュータもしくはネットワークに接続されたセンター側のコンピュータにより管理される記録装置又はユーザー端末に内蔵もしくは接続された記録装置により構成され、ユーザーの商品の触感の好みに関するデータを記録しておくためのユーザー嗜好データ記録手段と、
ネットワークに接続されたショップ側のコンピュータもしくはネットワークに接続されたセンター側のコンピュータ又はユーザー端末により構成され、ユーザーが選択した商品について、前記商品触感データ記録手段からの触感データと前記ユーザー嗜好データ記録手段からのユーザー嗜好データとに基づいて、前記商品の触感がユーザーの好み又は好みの傾向と合うかどうかを判定するための判定手段と、
ユーザー端末により構成され、前記判定手段による判定結果をユーザー側に出力するための判定結果出力手段と、
を備えたことを特徴とする仮想試触システム。
【請求項２】
ネットワークに接続されたショップ側のコンピュータにより構成され、ユーザーがネットワークを介して注文できる商品の画像データをユーザー側に提供するための商品画像提供手段と、
ユーザー端末により構成され、前記商品画像提供手段からの商品画像をユーザー側で表示するための商品画像表示手段と、
ネットワークに接続されたショップ側のコンピュータにより管理される記録装置により構成され、前記商品画像提供手段により画像が提供される商品の触感に関するデータを記録しておくための商品触感データ記録手段と、
ネットワークに接続されたショップ側のコンピュータもしくはネットワークに接続されたセンター側のコンピュータにより管理される記録装置又はユーザー端末に内蔵もしくは接続された記録装置により構成され、ユーザーの商品の触感の好みに関するデータを記録しておくためのユーザー嗜好データ記録手段と、
ネットワークに接続されたショップ側のコンピュータもしくはネットワークに接続されたセンター側のコンピュータ又はユーザー端末により構成され、前記商品画像表示手段により表示される一つ又は複数の商品の中の或る商品をユーザーが選択したとき、前記選択された商品について、前記商品触感データ記録手段からの触感データと前記ユーザー嗜好データ記録手段からのユーザー嗜好データとに基づいて、前記商品の触感がユーザーの好み又は好みの傾向と合うかどうかを判定するための判定手段と、
前記判定手段による判定結果をユーザー側に出力するための判定結果出力手段と、
を備えたことを特徴とする仮想試触システム。
【請求項３】
ネットワークに接続されたショップ側のコンピュータにより構成され、ユーザーがネットワークを介して注文できる商品の画像データをユーザー側に提供するための商品画像提供手段と、
ユーザー端末により構成され、前記商品画像提供手段からの商品画像をユーザー側で表示するための商品画像表示手段と、
ネットワークに接続されたショップ側のコンピュータもしくはネットワークに接続されたセンター側のコンピュータに管理される記録装置又はユーザー端末に内蔵もしくは接続された記録装置により構成され、前記商品画像提供手段により画像が提供される商品の触感を識別するための触覚識別データを記録しておくための商品触感識別データ記録手段と、
ユーザー側に備えられ、前記の複数の各商品の触感をそれぞれ示す複数の触感見本を含む触覚見本部と、
ネットワークに接続されたショップ側のコンピュータもしくはネットワークに接続されたセンター側のコンピュータにより構成され、前記商品画像表示手段により表示される商品についての触感を識別するための触感識別データをユーザー側に提供するための触感識別データ提供手段と、
ユーザー側に備えられ、前記触感識別データ提供手段から提供された触覚識別データ又はこの触覚識別データにより識別される触覚見本の位置を示す情報を、ユーザーに表示又は指示するための触覚識別データ等表示部と、
を備えたことを特徴とする仮想試触システム。
【手続補正書】
【提出日】平成18年3月27日(2006.3.27)
【手続補正１】
【補正対象書類名】明細書
【補正対象項目名】請求項５
【補正方法】変更
【補正の内容】
【請求項５】  索引を作成する対象となる文書を入力する入力工程と、
前記入力工程により入力された文書を所定の長さごとのサブ・ドキュメントに分割する分割工程と、
前記分割工程により分割されたサブ・ドキュメントごとに索引となる語または語句の出現位置情報を所定数のみ抽出する抽出工程と、
前記文書における前記抽出工程により抽出された語または語句の出現位置情報に基づいて索引を作成する作成工程と、
前記作成工程により作成された索引を出力する出力工程と、
を含んだことを特徴とする文書作成方法。
【手続補正書】
【提出日】平成18年3月15日(2006.3.15)
【手続補正１】
【補正対象書類名】明細書
【補正対象項目名】発明の名称
【補正方法】変更
【補正の内容】
【発明の名称】ディスクドライブ装置及び位置調整方法
【手続補正２】
【補正対象書類名】明細書
【補正対象項目名】特許請求の範囲
【補正方法】変更
【補正の内容】
【特許請求の範囲】
【請求項１】  情報信号の記録及び／又は再生のために使用されるディスク状記録媒体が装着されるターンテーブルを回転自在に支持するスピンドルシャーシと、
上記ターンテーブルに装着された上記ディスク状記録媒体に対して情報信号の記録及び／又は再生を行うピックアップ装置を当該ターンテーブルに対して接近及び離反させるよう移動可能に支持すると共に上記スピンドルシャーシに揺動可能に支持されるピックアップシャーシと、
上記ピックアップシャーシと上記スピンドルシャーシとの間に介在される弾性体並びにピックアップシャーシ及びスピンドルシャーシの一方のシャーシに取り付けられ且つ他方のシャーシに当接されて上記弾性体の付勢力に抗してピックアップシャーシとスピンドルシャーシとの相対位置を調整する調整ねじを有する位置調整手段と、を備えたディスクドライブ装置において、
上記位置調整手段の弾性体及び調整ねじは、上記揺動の中心線上において上記ピックアップシャーシの一側に配置したことを特徴とするディスクドライブ装置。
【請求項２】  上記ピックアップシャーシ及び上記スピンドルシャーシは、ピックアップシャーシに設けた一対の軸部をスピンドルシャーシに設けた一対の軸受部に回動自在に嵌合させることによって支持され、
上記位置調整手段は、上記一対の軸部のうち一方の軸部に装着される上記弾性体と、当該弾性体の一端が着座されると共に上記一方の軸部に取り付けられる止め輪と、上記スピンドルシャーシに設けられると共に上記弾性体の他端が着座される支持片とを有することを特徴とする請求項１記載のディスクドライブ装置。
【請求項３】  上記一方の軸部の端面には調整用斜面を有する調整部を設け、当該調整部に上記調整ねじを当接させるようにしたことを特徴とする請求項２記載のディスクドライブ装置。
【請求項４】  情報信号の記録及び／又は再生のために使用されるディスク状記録媒体が装着されるターンテーブルを回転自在に支持するスピンドルシャーシと、
上記ターンテーブルに装着された上記ディスク状記録媒体に対して情報信号の記録及び／又は再生を行うピックアップ装置を当該ターンテーブルに対して接近及び離反させるよう移動可能に支持すると共に上記スピンドルシャーシに揺動可能に支持されるピックアップシャーシとを備えたディスクドライブ装置の上記ピックアップシャーシと上記スピンドルシャーシとの相対位置を調整する位置調整方法において、
上記ピックアップシャーシと上記スピンドルシャーシとの間に介在される弾性体並びにピックアップシャーシ及びスピンドルシャーシの一方のシャーシに取り付けられた調整ねじを用いて、他方のシャーシに当接されて上記弾性体の付勢力に抗してピックアップシャーシとスピンドルシャーシとの相対位置を調整すると共に、上記調整ねじを上記揺動の中心線上において上記ピックアップシャーシの一側に配置することを特徴とする位置調整方法。
【手続補正３】
【補正対象書類名】明細書
【補正対象項目名】０００１
【補正方法】変更
【補正の内容】
【０００１】
【発明の属する技術分野】
本発明は、光ディスクや光磁気ディスク等のディスク状記録媒体を回転駆動すると共にこのディスク状記録媒体の情報記録面に沿ってピックアップ装置を移動させて情報信号の記録（書込み）及び／又は再生（読取り）を行うディスクドライブ装置及びこのようなディスクドライブ装置に用いて好適な位置調整方法に関するものである。
【手続補正４】
【補正対象書類名】明細書
【補正対象項目名】００１３
【補正方法】変更
【補正の内容】
【００１３】
本発明は、かかる従来の課題に鑑みてなされたものであり、調整ねじに対する付勢力が調整方向線と同一方向となるように弾性体を配置し、その付勢力が調整ねじと接触する近傍においてのみシャーシに加わるようにして、その付勢力によるシャーシの変形を防止することができるディスクドライブ装置及びその位置調整方法を提供することを目的としている。
【手続補正５】
【補正対象書類名】明細書
【補正対象項目名】００１６
【補正方法】変更
【補正の内容】
【００１６】
本発明の請求項３記載のディスクドライブ装置は、一方の軸部の端面には調整用斜面を有する調整部を設け、その調整部に調整ねじを当接させるようにしたことを特徴としている。
また、本発明の位置調整方法は、情報信号の記録及び／又は再生のために使用されるディスク状記録媒体が装着されるターンテーブルを回転自在に支持するスピンドルシャーシと、ターンテーブルに装着されたディスク状記録媒体に対して情報信号の記録及び／又は再生を行うピックアップ装置をターンテーブルに対して接近及び離反させるよう移動可能に支持すると共にスピンドルシャーシに揺動可能に支持されるピックアップシャーシとを備えたディスクドライブ装置のピックアップシャーシとスピンドルシャーシとの相対位置を調整する位置調整方法において、ピックアップシャーシとスピンドルシャーシとの間に介在される弾性体並びにピックアップシャーシ及びスピンドルシャーシの一方のシャーシに取り付けられた調整ねじを用いて、他方のシャーシに当接されて弾性体の付勢力に抗してピックアップシャーシとスピンドルシャーシとの相対位置を調整すると共に、調整ねじを揺動の中心線上においてピックアップシャーシの一側に配置することを特徴としている。
【手続補正６】
【補正対象書類名】明細書
【補正対象項目名】００１９
【補正方法】変更
【補正の内容】
【００１９】
本発明の請求項３記載のディスクドライブ装置では、一方の軸部に設けた調整部の調整用斜面に調整ねじが当接されているため、その調整ねじによって位置調整と共に一方の軸部の位置決めを行うことができる。
また、本発明の位置調整方法では、調整ねじを前進又は後退動作させることにより、スピンドルシャーシに対するピックアップシャーシの相対的な位置を簡単且つ確実に精度良く調整することができる。
【手続補正７】
【補正対象書類名】明細書
【補正対象項目名】００９２
【補正方法】変更
【補正の内容】
【００９２】
本発明の請求項３記載のディスクドライブ装置によれば、一方の軸部に設けた調整部の調整用斜面に調整ねじを当接させる構成としたため、その調整ねじによって位置調整と共に一方の軸部の位置決めを行うことができるという効果を得ることができる。
また、本発明の位置調整方法によれば、調整ねじを用いてピックアップシャーシとスピンドルシャーシとの相対位置を簡単且つ確実に精度良く調整することができる。
【手続補正書】
【提出日】平成18年3月14日(2006.3.14)
【手続補正１】
【補正対象書類名】明細書
【補正対象項目名】００２１
【補正方法】変更
【補正の内容】
【００２１】
以下に、本発明の対物レンズの実施例を示す。表中のｒは曲率半径、ｄは面間隔、ｎは各波長での屈折率、を示す。また、参考としてｄ線（λ＝５８７．６ｎｍ）での屈折率ｎｄ、アッベ数νｄを示す。面番号は物体（光源）位置、絞りおよび像面を含めた形で示してある。
また本実施例では、便宜上、光情報記録媒体の光源側に位置する透明基板の前後の２ケ所に空気間隔を分けて表現しているが、実際には、透明基板と光情報記録媒体は密着しているため面Ｎｏ．３のｄ値とｄ５の値を加算した値が対物レンズの光情報記録媒体側面（面Ｎｏ．３）と光情報記録媒体の透明基板の光源側面（面Ｎｏ．４）との間隔に相当する。
また、非球面形状は
【数１】
2000285500.tif 000001
但し、Ｚは光軸方向の軸、ｈは光軸と垂直方向の軸、光の進行方向を正とし、Ｒ０は近軸曲率半径、κは非球面の円錐係数、Ａは非球面係数、２ｉは非球面のべき数である。
回折面は位相関数として表し、
【数２】
2000285500.tif 000002
但し、ｈは光軸と垂直方向の高さ、Ｂは位相差関数の係数である。尚、位相関数の単位はラジアンで表している。
各実施例の光路図、球面収差図、波面収差図は図５ないし図４４に示す。
【手続補正書】
【提出日】平成18年3月15日(2006.3.15)
【手続補正１】
【補正対象書類名】明細書
【補正対象項目名】発明の名称
【補正方法】変更
【補正の内容】
【発明の名称】ディスクドライブ装置及び位置調整方法
【手続補正２】
【補正対象書類名】明細書
【補正対象項目名】特許請求の範囲
【補正方法】変更
【補正の内容】
【特許請求の範囲】
【請求項１】  情報信号の記録及び／又は再生のために使用されるディスク状記録媒体が装着されるターンテーブルを回転自在に支持するスピンドルシャーシと、
上記ターンテーブルに装着された上記ディスク状記録媒体に対して情報信号の記録及び／又は再生を行うピックアップ装置を当該ターンテーブルに対して接近及び離反する方向に移動可能に支持するピックアップシャーシと、
上記スピンドルシャーシに対して上記ピックアップシャーシを上記ピックアップ装置の移動方向と交差する交差方向に移動させて相対位置を調整する位置調整手段と、を備えたディスクドライブ装置において、
上記位置調整手段は、上記ピックアップシャーシを上記交差方向の一方へ付勢する弾性体と、上記ピックアップシャーシ及び上記スピンドルシャーシの一方のシャーシに設けられ且つ他方のシャーシに当接してスピンドルシャーシに対するピックアップシャーシの位置を拘束すると共に上記交差方向と直交する直交方向に向かう力を発生させる調整部と、を有することを特徴とするディスクドライブ装置。
【請求項２】  上記ピックアップシャーシ及び上記スピンドルシャーシは、一方のシャーシには一対の軸部を設けると共に他方のシャーシには一対の軸受部を設け、上記一対の軸部を上記一対の軸受部に回動可能に嵌合させることによりピックアップシャーシ及びスピンドルシャーシ間を回動自在に連結し、上記一対の軸部の一方に上記弾性体を装着してピックアップシャーシをスピンドルシャーシに付勢すると共に、当該一方の軸部に当接してピックアップシャーシの位置を拘束する調整ねじと、当該調整ねじに当接して上記直交方向に向かう力を発生させる調整用斜面を有する調整部と、を設けたことを特徴とする請求項１記載のディスクドライブ装置。
【請求項３】  上記位置調整手段の調整部は、上記一方の軸部の端面に上記調整用斜面を形成して設けたことを特徴とする請求項２記載のディスクドライブ装置。
【請求項４】  情報信号の記録及び／又は再生のために使用されるディスク状記録媒体が装着されるターンテーブルを回転自在に支持するスピンドルシャーシと、
上記ターンテーブルに装着された上記ディスク状記録媒体に対して情報信号の記録及び／又は再生を行うピックアップ装置を当該ターンテーブルに対して接近及び離反する方向に移動可能に支持するピックアップシャーシとを備えたディスクドライブ装置の上記スピンドルシャーシと上記ピックアップシャーシの相対位置を調整する位置調整方法において、
上記スピンドルシャーシに対して上記ピックアップシャーシを上記ピックアップ装置の移動方向と交差する交差方向に移動させて相対位置を調整すると共に、上記ピックアップシャーシを上記交差方向の一方へ弾性体で付勢し、他方のシャーシに当接してスピンドルシャーシに対するピックアップシャーシの位置を拘束するようにして上記交差方向と直交する直交方向に向かう力を発生させることを特徴とする位置調整方法。
【手続補正３】
【補正対象書類名】明細書
【補正対象項目名】０００１
【補正方法】変更
【補正の内容】
【０００１】
【発明の属する技術分野】
本発明は、光ディスクや光磁気ディスク等のディスク状記録媒体を回転駆動すると共にこのディスク状記録媒体の情報記録面に沿ってピックアップ装置を移動させて情報信号の記録（書込み）及び／又は再生（読取り）を行うディスクドライブ装置及びこのようなディスクドライブ装置に用いて好適な位置調整方法に関し、特に、スピンドルシャーシに対してピックアップシャーシがピックアップ装置の移動方向と交差する方向に位置調整可能に構成されたディスクドライブ装置及び位置調整方法に関するものである。
【手続補正４】
【補正対象書類名】明細書
【補正対象項目名】００１２
【補正方法】変更
【補正の内容】
【００１２】
本発明は、かかる従来の課題に鑑みてなされたものであり、スピンドルシャーシに対するピックアップシャーシの位置を拘束すると共に直交する方向に向かう力を発生させるようにして、その力でピックアップシャーシの浮き上がりを防止することができるディスクドライブ装置及びその位置調整方法を提供することを目的としている。
【手続補正５】
【補正対象書類名】明細書
【補正対象項目名】００１５
【補正方法】変更
【補正の内容】
【００１５】
本発明の請求項３記載のディスクドライブ装置は、位置調整手段の調整部は、一方の軸部の端面に調整用斜面を形成して設けたことを特徴としている。
また、本発明の位置調整方法は、情報信号の記録及び／又は再生のために使用されるディスク状記録媒体が装着されるターンテーブルを回転自在に支持するスピンドルシャーシと、ターンテーブルに装着されたディスク状記録媒体に対して情報信号の記録及び／又は再生を行うピックアップ装置をターンテーブルに対して接近及び離反する方向に移動可能に支持するピックアップシャーシとを備えたディスクドライブ装置のスピンドルシャーシとピックアップシャーシの相対位置を調整する位置調整方法において、スピンドルシャーシに対してピックアップシャーシをピックアップ装置の移動方向と交差する交差方向に移動させて相対位置を調整すると共に、ピックアップシャーシを交差方向の一方へ弾性体で付勢し、他方のシャーシに当接してスピンドルシャーシに対するピックアップシャーシの位置を拘束するようにして交差方向と直交する直交方向に向かう力を発生させることを特徴としている。
【手続補正６】
【補正対象書類名】明細書
【補正対象項目名】００１８
【補正方法】変更
【補正の内容】
【００１８】
本発明の請求項３記載のディスクドライブ装置では、一方の軸部に設けた調整部の調整用斜面に先端部が当接されている調整ねじを回転することにより、ピックアップシャーシの位置を拘束すると共に軸受部分のガタを吸収することができる。
また、本発明の位置調整方法では、調整部の働きによって交差方向の位置が拘束されると共に、直交方向に向かう力で軸受部分のガタを吸収してピックアップシャーシの浮き上がりを防止することができる。
【手続補正７】
【補正対象書類名】明細書
【補正対象項目名】００９４
【補正方法】変更
【補正の内容】
【００９４】
本発明の請求項３記載のディスクドライブ装置によれば、一方の軸部に設けた調整部の調整用斜面に調整ねじの先端部を当接させる構成としたため、調整ねじを回転させて前進又は後退動作させることにより、ピックアップシャーシの位置を確実に拘束することができると共に軸受部分のガタを吸収することができるという効果を得ることができる。
また、本発明の位置調整方法によれば、弾性体の付勢力によって交差方向の一方へ付勢された一方のシャーシが他方のシャーシに設けた調整部の働きによって交差方向の位置が拘束されると共に、直交方向に向かう力で軸受部分のガタを吸収してピックアップシャーシの浮き上がりを防止することができる。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】 正極板と隔離体と負極板とを有する発電要素を金属ラミネート樹脂フィルムよりなる袋状単電池ケースに収納し、袋状単電池ケースの開口部より電解液を注入した後、開口部を熱溶着により封じる電池の製造方法であって、前記開口部以外の熱溶着部から両面の一部に樹脂層を有する平板状リード端子が取り出されていることを特徴とする電池の製造方法。
【手続補正２】
【補正対象書類名】明細書
【補正対象項目名】０００９
【補正方法】変更
【補正の内容】
【０００９】
【課題を解決するための手段】本発明の電池の製造方法は、正極板と隔離体と負極板とを有する発電要素を袋状単電池ケースに収納し、袋状単電池ケースの開口部より電解液を注入した後、開口部を熱溶着により封じる電池の製造方法において、前記開口部以外の熱溶着部から両面の一部に樹脂層を有する平板状リード端子が取り出されていることを特徴とする。
【手続補正書】
【提出日】平成18年3月2日(2006.3.2)
【手続補正１】
【補正対象書類名】明細書
【補正対象項目名】発明の名称
【補正方法】変更
【補正の内容】
【発明の名称】蛍光発光素子及びその製造方法
【手続補正２】
【補正対象書類名】明細書
【補正対象項目名】特許請求の範囲
【補正方法】変更
【補正の内容】
【特許請求の範囲】  
【請求項１】  外囲器と、
前記外囲器内に設けられた陰極と、
前記外囲器内に設けられた発光に赤色成分を含む蛍光体層を有する陽極と、
前記外囲器内の前記陽極に対応して設けられた赤色フィルタとを有する蛍光発光素子において、
前記赤色フィルタが管内の還元雰囲気によってもほとんど還元されない無機顔料からなるフィルタであることを特徴とする蛍光発光素子。
【請求項２】  所定間隔をおいて対面して配置された陰極基板と陽極基板とを備えた外囲器と、
前記陰極基板の内面に設けられた電界放出素子と、
前記陽極基板の内面側に設けられた陽極導体と、
前記陽極導体の上に形成されて発光に赤色成分を含む蛍光体層と、
前記陽極基板と前記蛍光体層の間に設けられた赤色フィルタとを有する蛍光発光素子において、
前記赤色フィルタが管内の還元雰囲気によってもほとんど還元されない無機顔料からなるフィルタであることを特徴とする蛍光発光素子。
【請求項３】  前記赤色フィルタが前記蛍光体層の発光の赤成分の５０％以上を透過させる請求項１又は２記載の蛍光発光素子。
【請求項４】  前記無機顔料がＦｅを含む複合酸化物である請求項１又は２記載の蛍光発光素子。
【請求項５】  前記無機顔料の平均粒径が３０〜１００ｎｍである請求項１又は２記載の蛍光発光素子。
【請求項６】  前記蛍光体層が、Ｙ2 Ｏ3 ：Ｅｕ、ＳｒＴｉＯ3 ：Ｐｒ、ＺｎＯ：Ｚｎから選択された蛍光体からなる請求項１又は２記載の蛍光発光素子。
【請求項７】  蛍光発光素子の製造方法であって、
陽極基板の内面に陽極導体を所定のパターンに形成する第１のステップ、
前記陽極導体上に感光性有機Ｓｉ化合物を含むフィルタ膜を所定のパターンに形成する第２のステップ、
前記陽極基板を酸化雰囲気中で焼成してフィルタを形成する第３のステップ、
前記各フィルタ上に蛍光体層を所定のパターンに形成する第４のステップ、
を含むことを特徴とした請求項１又は２記載の蛍光発光素子の製造方法。
【手続補正３】
【補正対象書類名】明細書
【補正対象項目名】０００１
【補正方法】変更
【補正の内容】
【０００１】
【発明の属する技術分野】
本発明は、発光に赤色成分を含む蛍光体と還元されにくい無機顔料からなるフィルタによって赤色の表示を行う蛍光発光素子及び該蛍光発光素子を製造する方法に関する。
【手続補正４】
【補正対象書類名】明細書
【補正対象項目名】００１２
【補正方法】変更
【補正の内容】
【００１２】
【課題を解決するための手段】
請求項１に記載された蛍光発光素子（電界放出型発光素子１）は、外囲器（２）と、前記外囲器内に設けられた陰極（電界放出型陰極１０）と、前記外囲器内に設けられた発光に赤色成分を含む蛍光体層（７）を有する陽極（５）と、前記外囲器内の前記陽極に対応して設けられた赤色フィルタ（Ｒ）とを有する蛍光発光素子において、前記赤色フィルタが管内の還元雰囲気によってもほとんど還元されない無機顔料からなるフィルタであることを特徴としている。
【手続補正５】
【補正対象書類名】明細書
【補正対象項目名】００１３
【補正方法】変更
【補正の内容】
【００１３】
請求項２に記載された蛍光発光素子は、所定間隔をおいて対面して配置された陰極基板（３）と陽極基板（４）とを備えた外囲器（２）と、前記陰極基板の内面に設けられた電界放出素子（電界放出型陰極１０）と、前記陽極基板の内面側に設けられた陽極導体６と、前記陽極導体の上に形成されて発光に赤色成分を含む蛍光体層（７）と、前記陽極基板と前記蛍光体層の間に設けられた赤色フィルタ（Ｒ）とを有する蛍光発光素子において、前記赤色フィルタが管内の還元雰囲気によってもほとんど還元されない無機顔料からなるフィルタであることを特徴としている。
【手続補正６】
【補正対象書類名】明細書
【補正対象項目名】００１５
【補正方法】変更
【補正の内容】
【００１５】
請求項４に記載された蛍光発光素子は、請求項１又は２記載の蛍光発光素子に（電界放出型発光素子１）おいて、前記無機顔料がＦｅを含む複合酸化物であることを特徴としている。
【手続補正７】
【補正対象書類名】明細書
【補正対象項目名】００１６
【補正方法】変更
【補正の内容】
【００１６】
請求項５に記載された蛍光発光素子は、請求項１又は２記載の蛍光発光素子（電界放出型発光素子１）において、前記無機顔料の平均粒径が３０〜１００ｎｍであることを特徴としている。
【手続補正８】
【補正対象書類名】明細書
【補正対象項目名】００１８
【補正方法】変更
【補正の内容】
【００１８】
請求項７に記載された蛍光発光素子は、請求項１又は２記載の蛍光発光素子（電界放出型発光素子１）の製造方法において、
陽極基板（４）の内面に陽極導体を所定のパターンに形成する第１のステップ、
前記陽極導体（６）上に感光性有機Ｓｉ化合物を含むフィルタ膜を所定のパターンに形成する第２のステップ、
前記陽極基板を酸化雰囲気中で焼成してフィルタ（Ｒ）を形成する第３のステップ、
前記フィルタ上に蛍光体層（７）を所定のパターンに形成する第４のステップ、
を含むことを特徴とした請求項１又は２記載の蛍光発光素子の製造方法。
【手続補正書】
【提出日】平成17年12月16日(2005.12.16)
【手続補正１】
【補正対象書類名】明細書
【補正対象項目名】０００２
【補正方法】変更
【補正の内容】
【０００２】
【従来の技術】
近年、記録、再生、消去を行える光磁気ディスクの開発が進められ、その一部は商品化され、民生用やデータ保存用として広く使用されてきている。しかし、光磁気ディスクにおいては、その大容量化への要望が大きく、鋭意実用化が目指されている。その方法の一つとして、高ＮＡレンズを使った方法が提案され、研究が進められている。また、例えば、特許文献１に示す光磁気ディスク装置が提案されており、レンズ・光磁気ディスク装置の小形化が図られている。上記光磁気ディスク装置では、ディスク基板上に記録膜と磁性膜とが設けられ、光学ヘッドには空芯コイルが設けられている。上記構成によって、ディスク基板上の記録膜に直接レーザー光を照射できるため、レンズを記録膜に接近させることができる。さらに、光学ヘッドの空芯コイルとディスク基板上の磁性膜とにより、記録膜に与える発生磁界の強度を向上させることができる。これにより、レンズと記録膜との距離を縮小でき、レンズ・光磁気ディスクの小形化を実現している。
【特許文献１】
特開平３−１２５３５３号公報（平成３年５月２８日公開）
【手続補正書】
【提出日】平成17年12月26日(2005.12.26)
【手続補正１】
【補正対象書類名】明細書
【補正対象項目名】００１３
【補正方法】変更
【補正の内容】
【００１３】
一方、図３（ａ）のように非接触のリモートメモリチップ４を内蔵するタイプでは、当然ながら端子ピンは不要となる。しかしながら外観形状としては図４のようになり、つまり装置に対するテープカセット形状の互換性を保つためにダミーの端子部１０６が設けられている。
また、図示しないがラベル状に形成された非接触型のリモートメモリチップも知られている。これは、リモートメモリチップが形成されているラベルをテープカセット１及び筐体の所要の位置に貼り付けられたものとされる。これにより、テープカセット１がテープストリーマドライブ１０に装填された場合に、リモートメモリチップとテープストリーマドライブのメモリドライブ手段が通信を行うことができる。
【手続補正２】
【補正対象書類名】明細書
【補正対象項目名】００４６
【補正方法】変更
【補正の内容】
【００４６】
またカセットマニュファクチャデート（cassette manufacture date）、カセットマニュファクチャ・ラインネーム（cassette manufacture line name）、カセットマニュファクチャ・プラントネーム（cassette manufacture plant name）、カセットマニュファクチュアラ・ネーム（cassette manufacturer name）、カセットネーム（cassette name）は、それぞれ上記したＭＩＣに関する情報と同様のカセット自体の情報が記述される。
なお、ＭＩＣマニュファクチャ・デート、カセットマニュファクチャデートなど日付に関するデータは、例えば年月日を二桁ずつとして年「ＹＹ」、月「ＭＭ」、日「ＤＤ」という形態を採るものとする。
【手続補正３】
【補正対象書類名】明細書
【補正対象項目名】００６７
【補正方法】変更
【補正の内容】
【００６７】
プリビアスセルポインタ（previous cell pointer）及びネクストセルポインタ（next cell pointer）は、実際のリンケージデータ（リンク構造を構築するデータ）であり、同一種類の複数のセルがリンクされる際に、このプリビアスセルポインタとネクストセルポインタで前後のセルが指定される。
【手続補正４】
【補正対象書類名】図面
【補正対象項目名】図２
【補正方法】変更
【補正の内容】
【図２】
2000285546.tif 000001
【手続補正書】
【提出日】平成18年2月3日(2006.2.3)
【手続補正１】
【補正対象書類名】明細書
【補正対象項目名】０００３
【補正方法】変更
【補正の内容】
【０００３】
この高所作業車は、旋回台２と作業台４にそれぞれ上部操作装置６，下部操作装置５（請求項１，２記載の操作装置に該当する。）を配置し、いずれの操作装置５，６からも作業台４を適宜移動操作できるようにしてある。
【手続補正２】
【補正対象書類名】明細書
【補正対象項目名】０００９
【補正方法】変更
【補正の内容】
【０００９】
また、図４に図示する作業姿勢から図３に図示する格納姿勢に自動格納させる場合には、下部操作装置５あるいは上部操作装置６の自動格納操作５ｅ，６ｅを操作するようになっている。この操作を行うと操作制御装置９では、下部操作信号５ｈあるいは、上部操作信号６ｈから自動格納操作５ｅあるいは６ｅを操作したことを受け、伸縮ブーム３の縮小、旋回、倒伏の一連の操作が自動的に連続して行われたと同様の制御信号９ａを出力する。すると下部音声出力装置１３は下部操作信号５ｈから自動格納操作５ｅが操作されたの信号を受けると、下部音声出力装置７に制御信号９ａに基づいて伸縮ブーム３の縮小、旋回、倒伏の一連の操作に基づく音声メッセージを順次出力するようになっている。同様に上部音声出力装置１４は上部操作信号６ｈから自動格納操作６ｅが操作されたの信号を受けると、上部音声出力装置８に制御信号９ａに基づいて伸縮ブーム３の縮小、旋回、倒伏の一連の操作に基づく音声メッセージを順次出力するようになっている。
【手続補正３】
【補正対象書類名】明細書
【補正対象項目名】００２２
【補正方法】変更
【補正の内容】
【００２２】
また、下部操作装置５あるいは上部操作装置６の自動格納操作５ｅ，６ｅの操作がされた時について以下に説明する。この場合音声出力管理装置２０は、下部操作信号５ｈあるいは上部操作信号６ｈの信号から自動格納操作５ｅあるいは自動格納操作６ｅが行われたことと、操作制御装置９自動格納時に順次油圧アクチュエータ制御バルブ１０に出力される制御信号９ａを受けて、下部音声警報装置７と上部音声警報装置８の両方から、自動格納されている時に駆動されている油圧アクチュエータに関係した音声メッセージを出力するようにしてある。
【手続補正４】
【補正対象書類名】明細書
【補正対象項目名】００２７
【補正方法】変更
【補正の内容】
【００２７】
例えば、上部操作装置６の起伏操作６ａを操作して伸縮ブーム３を倒伏している時には、下部音声警報装置７と上部音声警報装置８から「起伏操作中です。」の音声メッセージが出力されている。この時に、作業台４に搭乗して起伏操作６ａを操作している作業者は、下方に位置している障害物に伸縮ブーム３を干渉させる恐れが発生しているにもかかわらず、作業台４に邪魔されて下方の状況がわかりにくい為に気が付かない場合がある。この時下部操作装置５付近に位置していた作業者が下部操作装置５の緊急停止操作５ｆを操作する。すると伸縮ブーム３の倒伏動は停止され、下部音声警報装置７と上部音声警報装置８から「起伏操作中です。」の音声メッセージが中断され、「緊急停止です。」の音声メッセージが優先して出力される。
【手続補正５】
【補正対象書類名】明細書
【補正対象項目名】００３９
【補正方法】変更
【補正の内容】
【００３９】
なお、上記実施形態の説明では、前記操作装置５，６の操作によって起伏操作５ａ，６ａ、伸縮操作５ｂ，６ｂ、旋回操作５ｃ，６ｃ、首振り操作５ｄ，６ｄの各操作をすると、下部音声警報装置７あるいは上部音声警報装置８から「起伏操作中です。」，「伸縮操作中です。」，「旋回操作中です。」，「首振り操作中です。」の各音声メッセージを出力するようにしたが、「倒伏中です。」「起仰中です。」「伸長中です。」「縮小中です。」「右旋回中です。」「左旋回中です。」「右首振り中です。」「左首振り中です。」のように各操作の操作方向まで音声警報するようにしてもよい。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  水平方向に延び、筒状に巻回されると共に側壁の軸方向にミシン目が形成されたビニールロールの中心穴に挿通され、これを回転自在に支持するシャフトと、
前記シャフトの両端部を支持する支持フレームと、
前記シャフトと平行に延び、前記支持フレームが回動自在に係合する回転軸と、
前記回転軸に接続され、前記支持フレームを重力によって一定方向に回転させるように規制すると共に、前記支持フレームの回転と共に移動する、前記ビニールロールの前記側壁に当接する押さえを有するフレーム本体とを備えた、ビニールロールのカッター台。
【請求項２】  前記支持フレームの各々は前記シャフトを貫通するように取り付けられ、その一方の先端には前記シャフトの脱落防止用のナットが取り付けられる、請求項１記載のビニールロールのカッター台。
【手続補正書】
【提出日】平成18年2月1日(2006.2.1)
【手続補正１】
【補正対象書類名】明細書
【補正対象項目名】請求項５
【補正方法】変更
【補正の内容】
【請求項５】  請求項１〜４の何れかにおいて、前記汚泥が前記レトルトの内部に１時間以上滞留するように該レトルトが構成してあることを特徴とする有機物含有汚泥の炭化処理装置。
【手続補正２】
【補正対象書類名】明細書
【補正対象項目名】００２７
【補正方法】変更
【補正の内容】
【００２７】
請求項５のものは、請求項１〜４の何れかにおいて、前記汚泥が前記レトルトの内部に１時間以上滞留するように該レトルトが構成してあることを特徴とする。